(57)【要約】【課題】外気の吸排気による冷却手段を有する撮像装置においては、排気口からの熱を帯びた外気が撮影者に触れないようにする。【解決手段】強制空冷のための空冷ファンと、前記空冷ファンを用いて空気を通すためのダクトおよび吸排気口と、撮影者の肩を保護するための肩当てパッドを有し、前記肩当てパッドは第一の位置と第二の位置を移動可能で、撮像装置本体の底面にある排気口と対向する位置に配置され、前記肩当てパッドが前記第一の位置にある時は、放射状に通風経路が確保され、前記肩当てパッドが前記第二の位置にある時は、前記撮影者方向を除く通風経路が確保されている。【選択図】図５a
2019179054.tif 000002
【特許請求の範囲】
【請求項１】
強制空冷のための空冷ファンと、
前記空冷ファンを用いて空気を通すためのダクトおよび吸排気口と、
撮影者の肩を保護するための肩当てパッドを有し、
前記肩当てパッドは第一の位置と第二の位置を移動可能で、
撮像装置本体の底面にある排気口と対向する位置に配置され、
前記肩当てパッドが前記第一の位置にある時は、放射状に通風経路が確保され、
前記肩当てパッドが前記第二の位置にある時は、前記撮影者方向を除く通風経路が確保されていることを特徴とする撮像装置。
【請求項２】
前記肩当てパッドは底面に光軸方向に平行な回転軸を持ち、前記肩当てパッドの前記第一の位置は底面に平行な位置に配置され、前記肩当てパッドの前記第二の位置は前記回転軸を中心に撮影者の方向にチルトし、底面と肩当てパッドが当接することを特徴とする請求項１に記載の撮像装置。
【請求項３】
前記第一の位置および前記第二の位置において同等の通風経路が確保されていることを特徴とする請求項１又は請求項２に記載の撮像装置。
【請求項４】
前記肩当てパッドの一部が前記第二の位置において底面よりも突出していることを特徴とする請求項１乃至請求項３の何れか一項に記載の撮像装置。
【発明の詳細な説明】
【技術分野】
【０００１】
本発明は、可動式の肩当てパッドを有する撮像装置に関する。
【背景技術】
【０００２】
デジタルビデオカメラ等の撮像装置においては、ファミリー向けのハンディタイプのものや、報道カメラマン等が使用する肩乗せスタイル、ハンドル保持スタイル、三脚使用スタイル等、各スタイルでの撮影が可能な撮像装置が広く存在している。近年では、総じて高性能化が進み、消費電力増加のため内部回路基板の発熱量が増えている。そのため自然放熱だけでは冷却が不十分となり、送風装置を用いた、吸排気口を有する冷却手段が一般化されている。この排気口に関しては、熱を持った外気が排出されるため、撮影者に触れないように考慮する必要がある。特に、肩乗せスタイルも可能な撮像装置に関しては、肩乗せスタイル以外にもハンドルを使用するスタイルや、三脚を使用するスタイル等、各撮影スタイルでの考慮が必要である。このような肩乗せスタイルも可能な撮像装置における冷却手段の従来例として、以下のものがある。
【先行技術文献】
【特許文献】
【０００３】
【特許文献１】特開２００６−１２８７４９号公報
【発明の概要】
【発明が解決しようとする課題】
【０００４】
しかしながら、上記従来例では、撮像装置を肩に乗せたスタイルでの撮影には適しているが、撮像装置上部に配置している把持部を使用した撮影を行った場合、排気口が把持部の直下に配置されているため、熱を持った外気が手に触れやすい。すなわち、各撮影スタイルでの撮影者と排気口との関係性が、従来はあまり考慮されていないという問題点があった。
【０００５】
そこで、本発明は、上記課題を鑑み、撮影スタイルによらない最適な冷却構造を有する撮像装置を提供することを目的としている。
【課題を解決するための手段】
【０００６】
上記の目的を達成するために、本発明に係る撮像装置は、
強制空冷のための空冷ファンと、前記空冷ファンを用いて空気を通すためのダクトおよび吸排気口と、撮影者の肩を保護するための肩当てパッドを有し、前記肩当てパッドは第一の位置と第二の位置を移動可能で、撮像装置本体の底面にある排気口と対向する位置に配置され、前記肩当てパッドが前記第一の位置にある時は、放射状に通風経路が確保され、前記肩当てパッドが前記第二の位置にある時は、前記撮影者方向を除く通風経路が確保されていることを特徴とする。
【発明の効果】
【０００７】
本発明に係る撮像装置によれば、撮影スタイルに合わせて排気口が切り替わるため、排出される熱を帯びた外気による撮影者への影響を減少させることが可能となる。
【図面の簡単な説明】
【０００８】
【図１】撮像装置１のブロック図
【図２ａ】撮像装置１の正面、上面、左側面を示した斜視図
【図２ｂ】撮像装置１の背面、下面、左側面を示した斜視図
【図２ｃ】撮像装置１の正面図
【図２ｄ】撮像装置１の左側面図
【図３】図２ｃのＢ−Ｂ断面図
【図４】図２ｃのＡ−Ａ断面図
【図５ａ】肩当てパッド２が第一の位置にある時の図
【図５ｂ】肩当てパッド２が第二の位置にある時の図
【図６】撮影者が撮像装置１を担いでいる場合の左側面図
【発明を実施するための形態】
【０００９】
以下、本発明を図面に基づいて説明する。
【実施例１】
【００１０】
本発明の好適な一実施形態について、撮像装置に本発明を適用し、図面を参照しながら詳細に説明する。
【００１１】
尚、本実施形態における撮像装置において、被写体側から見た面を正面、正面と対向する面を背面、正面から見て右側の面を右側面、正面から見て左側の面を左側面、正面から見て上側の面を上面、正面から見て下側の面を下面、と各々称する。説明に関しては、本発明に関連する部分を中心に説明を行い、発明と直接関連しない部分に関しては非図示とし説明を省略している。
【００１２】
（ブロック図）
以下、本発明の実施形態を説明する。
【００１３】
図１は、本発明の実施例１に係る撮像装置１の構成を示すブロック図である。
【００１４】
図１に示すように、撮像装置１は、レンズ部３０、光量調節部４１、センサ部３８、本体制御部４０、空冷ファン３１、電源部４２、操作部３９、表示部４３等からなる。
【００１５】
レンズ部３０に入射した被写体光は、光量調節部４１を通過し、センサ部３８の撮像素子に結像して光電変換される。
【００１６】
操作部３９は、撮影者が操作行う、例えば記録開始スイッチなどが含まれる。操作部３９が操作されると、その情報は本体制御部４０へ伝達され、本体制御部４０はこの操作情報を元に記録開始等の撮影制御を行う。
【００１７】
本体制御部４０は、画像・音声情報の入出力、圧縮・変換等の画像処理、記録・再生等の録再処理等に代表される情報処理を行う。センサ部３８から本体制御部４０に画像情報が出力されると、本体制御部４０は、この画像情報に対して画像処理等の情報処理を行う。本体制御部４０は、伝達された画像情報に応じて、例えば絞りユニットを動作させ、撮像画像の明度の調整を行わせる等のレンズ部３０の制御を行う。撮影画像を記録する場合は、本体制御部４０が記録メディア４５へ画像情報を伝達し撮影画像を記録させる。
【００１８】
光量調節部４１は切り替え式のＮＤフィルタ等が含まれる。
【００１９】
表示部４３は、本体制御部４０からの指示に基づき、画像情報の表示を行う。
【００２０】
電源部４２はＤＣ端子やバッテリ端子等が含まれる。ＤＣ端子では、外部電源ケーブルを介して外部電源より電力を得ることが可能である。また、バッテリ端子では、電源ユニットのバッテリより電力を得ることが可能である。電源部４２で得られる電力は、本体制御部４０へ電送され、本体制御部４０により各駆動要素に適した電圧に電圧変換が行われた後、各駆動要素の電源として各駆動要素へ電送される。
【００２１】
（撮像装置外観の説明）
図２は撮像装置１の外観を示した図であり、図２（ａ）は、正面、上面、左側面を示した斜視図、図２（ｂ）は背面、下面、左側面を示した斜視図、図２（ｃ）は正面図、図２（ｄ）は左側面図である。
【００２２】
撮像装置１は、正面にグリップ部３７  を有しているレンズ部３０、下面に肩当てパッド２、排気口３、三脚取付部５、左側面に吸気口４、等が配置されている。
【００２３】
肩当てパッド２はヒンジ部６により左右方向に回動可能に接続されている。ただし、本実施例で回動方式はヒンジ部６により左右方向にチルトする構成をとっているが、これに限定されない。
【００２４】
排気口３は肩当てパッド２と上下方向の投影上重なる位置にあり、当該個所より排気を行う構造となっている。
【００２５】
尚、本実施例では肩当てパッド２の可動機構近傍に排気口３を、左側面部に吸気口４配置しているが、肩当てパッド２の可動機構近傍に吸気口を、左側面部に排気口配置してもよい。
【００２６】
（熱源冷却の詳細説明）
撮像装置１の強制空冷による放熱構造を図３〜図５を用いて説明する。
【００２７】
図３は図２（ｃ）のＢ−Ｂ断面であり、撮像装置１を上方から見た図である。図４は図２（ｃ）のＡ−Ａ断面であり、撮像装置１を右側面から見た図である。図５は図２（ｄ）のＣ−Ｃ断面であり、撮像装置１を正面から見た図であり、図５（ａ）は肩当てパッド２が第一の位置にある時、図５（ｂ）は肩当てパッド２が第二の位置にある時である。
【００２８】
排気口３近傍に空冷ファン３１が配置されている。
【００２９】
空冷ファン３１の内部には、不図示の本体制御部４０と電気的に接続されているモータ部（不図示）が保持されており、羽根を回転させることにより圧力差を生み出し空気を送っている。また、空冷ファン３１はホール素子（不図示）、羽根に磁石（不図示）、が備えられ、羽根の回転数を検知しフィードバック制御する手段を備えている。
【００３０】
以上の構成により、空冷ファン３１は、空気を吸込側から吸気し、吐出側から排出する機能を持ち、かつ回転数を制御可能となっている。
【００３１】
空冷ファン３１はダクト３２と接続される構造となっている。
【００３２】
ダクト３２は、吸気部と排気部を有しており、吸気部は吸気口４と、排気部は排気口３とつながっており、撮像装置１の外部からの空気をダクト３２の内部に送出し、排気口３より排気する構成となっている。
【００３３】
矢印４４は空冷ファン３１を駆動した際の空気の流れを示す。
【００３４】
撮像装置１の前方左側面部に吸気口４がを配置されており、光軸と略直行する方向に吸気を行う。
【００３５】
次にダクト３２は、まず吸気口４より撮像装置１の後方へ向かってＬ字に折れ曲がっている形状となっており、次に排気口３に向かってさらに下方向にＬ字に折れ曲がっている形状となっている。
【００３６】
ダクト３２の３面それぞれに対して、第一の熱源３４、第二の熱源３５、第三の熱源３６が配されている。
【００３７】
第一の熱源３４は、センサ部３８である。センサ部３８は、撮像装置１の撮影画像の高画質化に伴い、撮像素子の消費電力が大きくなり、発熱量も増大している。撮像素子は、一般的に高温になるほど性能が低下するため、撮像素子で発生した熱を放散する必要がある。センサ部３８は不図示の放熱ゴムを利用して、ダクト３２の正面部に伝熱している。
【００３８】
第二の熱源３５は主基板である。主基板はすべての電子デバイスと電気的に接続されるため、多くのＩＣが実装され撮像装置１内で最も面積が大きい基板である。主基板はセンサ部３８からの信号を処理するためのフロントエンドＩＣや、映像に対して色調整などの処理を行うための映像処理ＩＣ等が実装されており、図１で説明した本体制御部４０の機能を有している。フロントエンドＩＣ、映像処理ＩＣ等は消費電力が特に大きく、非常に発熱するＩＣであるので、ダクト３２側に実装し、不図示の放熱ゴムを利用してＩＣの熱をダクト３２に伝熱している。主基板の形状やＩＣのレイアウトの図示は省略する。
【００３９】
第三の熱源３６はサブ基板である。サブ基板には、各外部入出力に最適な映像フォーマットの変換を行うバックエンドＩＣや、フォーマット変換ＩＣなど消費電力が比較的大きいものが実装されており、これらのＩＣは本体ダクト３２側に実装し、不図示の放熱ゴムを利用してＩＣの熱をダクト３２に伝熱している。サブ基板の形状やＩＣのレイアウトの図示は省略する。
【００４０】
これにより、ダクト３２を冷却することにより、第一の熱源３４、第二の熱源３５、第三の熱源３６を冷却することができる。
【００４１】
ダクト３２の内部にはフィンが形成されており、空気と熱交換を行う。
【００４２】
前述したようにダクト３２の吸気部は吸気口４と、排気部は排気口３とつながっている。このため、熱交換により温められた空気を、空冷ファン３１を駆動することで撮像装置１から排出することが出来る。
【００４３】
この様な構成により第一の熱源３４、第二の熱源３５、第三の熱源３６で発生した熱を効率的に排熱することが可能となる。なお、本実施例では、熱源を３つと限定したが、この限りではなく、熱源の配置に関しても限定はしない。
【００４４】
（肩当てパッドの位置に関する説明）
肩当てパッドの位置に関して、図５および図６を用いて説明する。
【００４５】
図６は撮影者が撮像装置１を担いでいる場合の左側面図である。
【００４６】
前述の通り、肩当てパッド２は回動可能になっており、撮像装置１の使用状態に応じて２つの位置で使用される場合がある。
【００４７】
一つ目は三脚に設置された状態で使用される場合である。ただし、肩当てパッド２に接触しない撮影スタイルであればこれに限定されない。撮像装置１は下面に配置された三脚取付部５を介して三脚に設置される。肩当てパッド２は下面に対して略平行となっており、この時の肩当てパッド２の位置を第一の位置とする。
【００４８】
二つ目は撮影者が肩に担いだ状態で使用される場合がある。（図６）なお、本実施例では右利きの撮影者を想定しているが、これに限定されない。撮像装置１が肩当てパッド２を介して撮影者の右肩部２１に乗せられると、肩当てパッド２が右側面の方向に回動し、撮像装置１の下面に当接した位置で安定した保持が可能になり、この時の肩当てパッド２の位置を第二の位置とする。
【００４９】
肩当てパッド２が第一の位置にいる場合に、吸気口４から排出された空気は肩当てパッド２にあたり、下面に平行な面方向に放射状に通風経路が確保され、排気が広がっていく。この時、ヒンジ部６の範囲を除く全方向に広がっていくため、風速は十分遅くなっていると考えられる。
【００５０】
肩当てパッド２が第二の位置にいる場合に、吸気口４から排出された空気は肩当てパッド２にあたり、左側面の方向へ（撮影者と反対側へ）流れていく。前述の通り、撮像装置１を肩に担いでいる場合には肩当てパッド２は右側面にチルトしており、当接部２ａが底面と当接している。そのため、通風経路が塞がれており、右側にいる撮影者の首周辺に排気があたることはない。なお、ヒンジ部６が肩当てパッド２の中心に配置されている場合、チルトすることにより一方の通風経路が塞がれたとしても、他方がその分広がるため通風経路としては同等が確保可能である。
【００５１】
また肩当てパッド２が断熱部材で構成することによって、本体熱源によって温められた排気が肩当てパッド２に当たり続けても、撮影者の肩へ熱を伝えてしまうことが無いような構造となっている。
【００５２】
また三脚取り付け面を面Ｄとした場合に、肩当てパッド２が面Ｄよりも下方向に大きかった場合三脚装着時に干渉してしまう。そのため、第一の位置は面Ｄよりも内側で構成されている。しかし、肩に担いで撮影する場合は、その制約はないため、面Ｄよりも下方向にはみ出るように構成可能となる。（図５（ｂ））そのため、回動できない肩当てパッドを配置しているより、吸気口４からの排気の通風経路を広くとることができ、通風抵抗を下げることができる。
【００５３】
以上説明したように、空冷ファン３１を高回転で駆動することで、撮影状態において騒音などが問題となる可能性が低く、撮像装置１内へゴミや雨水が侵入する可能性が低く、撮像装置１の冷却によって生じた温かい空気が撮影者に吹きかかることが少なく快適に撮影することが可能な、冷却構造を有する撮像装置を提供することができる。
【符号の説明】
【００５４】
１  撮像装置、２  肩当てパッド、２ａ  当接部、３  排気口、４  吸気口、
５  三脚取付部、６  ヒンジ部、２１  右肩部、２２  右手、２３  右腕、
３０  レンズ部、３１  空冷ファン、３２  ダクト、３４  第一の熱源、
３５  第二の熱源、３６  第三の熱源、３７  グリップ部、３８  センサ部、
３９  操作部、４０  本体制御部、４１  光量調節部、４２  電源部、４３  表示部、
４４  矢印、４５  記録メディア
【図１】
2019179054.tif 000003
【図２ａ】
2019179054.tif 000004
【図２ｂ】
2019179054.tif 000005
【図２ｃ】
2019179054.tif 000006
【図２ｄ】
2019179054.tif 000007
【図３】
2019179054.tif 000008
【図４】
2019179054.tif 000009
【図５ａ】
2019179054.tif 000010
【図５ｂ】
2019179054.tif 000011
【図６】
2019179054.tif 000012